(57)【特許請求の範囲】
【請求項１】
走行機体に取付枠を上下動自在に連結し、該取付枠に移動枠を進行方向に対して側方方向に移動自在に設け、該移動枠を移動調節可能な移動機構を設け、該移動枠に土運搬台を後方傾動自在に設け、該土運搬台は長方形状の底板部の四辺部に左右の側板部、前板部及び後板部を立設してなり、該土運搬台を保持釈放可能な係止機構を設け、該移動枠にすき体を前下がり状にして進行方向の中央位置或いは一方側方位置のいずれかに選択的に配置自在に設け、該土運搬台の一方の側板部に土落下防止部材を着脱自在に設け、該移動枠の他方側部に圃場内に穿入可能な抵抗部材を配置してなることを特徴とする圃場整地機。
【請求項２】
上記土運搬台の進行方向前側の前板部の中央位置或いは一方側方位置のいずれかに選択的に配置されるすき体に対向位置して土導入口部を設け、該各土導入口部を開閉可能な閉塞板部を設けてなることを特徴とする請求項１記載の圃場整地機。
【請求項３】
上記移動機構は移動案内機構及び螺子機構からなることを特徴とする請求項１又は２記載の圃場整地機。
【発明の詳細な説明】
【０００１】
【発明の属する技術分野】
本発明は例えば圃場面の整地作業や収穫物の運搬作業等に用いられる圃場整地機に関するものである。
【０００２】
【従来の技術】
従来、この種の圃場整地機として、例えば特公昭５９−３６０７号公報、実公昭６１−４５２４５号公報、実公昭５６−５５３２７号公報の如く、走行機体に取付枠を上下動自在に連結し、取付枠に土運搬台を後方傾動自在に設け、土運搬台を保持釈放可能な係止機構を設け、取付枠にすき体を進行方向の中央位置に前下がり状に配設してなる構造のものが知られている。
【０００３】
しかして、すき体を前下り状に配置して走行機体を前進走行し、圃場面の高い所の土をすき体により削り取り、削り取られた土をすき体により土運搬台内に導入案内し、走行機体を圃場の低い所に移動し、その位置で作業者が人為的に係止機構を解除して土運搬台を釈放することにより土運搬台を自重で後方傾動させ、土運搬台内の土を圃場面の低い所に排出し、これにより圃場面の高低を均す整地作業を行うことになる。
【０００４】
【発明が解決しようとする課題】
しかしながら上記従来構造の場合、上記すき体は土運搬台の中央位置に配置され、走行機体の車輪や履帯の存在により畦の近傍位置の土を削取することが困難であるという不都合を有している。
【０００５】
【課題を解決するための手段】
本発明はこれらの不都合を解決することを目的とするもので、本発明のうちで、請求項１記載の発明は、走行機体に取付枠を上下動自在に連結し、該取付枠に移動枠を進行方向に対して側方方向に移動自在に設け、該移動枠を移動調節可能な移動機構を設け、該移動枠に土運搬台を後方傾動自在に設け、該土運搬台は長方形状の底板部の四辺部に左右の側板部、前板部及び後板部を立設してなり、該土運搬台を保持釈放可能な係止機構を設け、該移動枠にすき体を前下がり状にして進行方向の中央位置或いは一方側方位置のいずれかに選択的に配置自在に設け、該土運搬台の一方の側板部に土落下防止部材を着脱自在に設け、該移動枠の他方側部に圃場内に穿入可能な抵抗部材を配置してなることを特徴とする圃場整地機にある。
【０００６】
又、請求項２記載の発明は、上記土運搬台の進行方向前側の前板部の中央位置或いは一方側方位置のいずれかに選択的に配置されるすき体に対向位置して土導入口部を設け、該各土導入口部を開閉可能な閉塞板部を設けてなることを特徴とするものであり、又、請求項３記載の発明は、上記移動機構は移動案内機構及び螺子機構からなることを特徴とするものである。
【０００７】
【発明の実施の形態】
図１乃至図６は本発明の実施の形態例を示し、１は走行機体であって、走行機体１の両側部にはゴムタイヤからなる車輪１ａ・１ａが備えられ、走行機体１の後部には連結機構２により取付枠３を上下動自在に連結している。
【０００８】
この連結機構２は走行機体の左右両側部下部に突設した下部リンク４と、走行機体の左右両側部上部に突設した揺動アーム５と、揺動アーム５と下部リンク４の中程部を連結する吊上リンク６と、走行機体１の上部に突設した上部リンク７とで構成され、上記下部リンク４の先端部と上部リンク７の先端部を連結ピン８により取付枠３に連結し、取付枠３を油圧により揺動する揺動アーム５によって上下動可能にしている。
【０００９】
９は移動枠、１０は移動機構であって、この場合、上記取付枠３に移動案内機構１１としてのコ状のガイドレール１１ａ・１１ａを上下に対向配置し、ガイドレール１１ａ・１１ａに連結枠１１ｂを進行方向に対して側方方向に移動自在に設け、連結枠１１ｂに移動枠９を連結し、連結枠１１ｂに螺子機構１２として軸受１２ａにより螺子軸１２ｂを水平状に横設し、連結枠１１ｂにナット体１２ｃを固定し、螺子軸１２ｂにハンドル１２ｄを取付け、しかして、ハンドル１２ｄの正逆回動により移動枠９を進行方向に対して側方方向に移動調節するように構成している。
【００１０】
１３は土運搬台であって、この場合、長方形状の底板部１４の四辺部に左右の側板部１５・１５、前板部１６、後板部１７を立設して形成され、一方、上記移動枠９を間隔を置いた四個の縦杆９ａ・９ｂ・９ｃ・９ｄ及び各縦杆９ａ・９ｂ・９ｃ・９ｄの下端部から突出した四個の突出横杆９ｅ・９ｆ・９ｇ・９ｈにより側面Ｌ形状に形成し、底板部１４に四個の横杆１４ａ・１４ｂ・１４ｃ・１４ｄを取付け、四個の突出横杆９ｅ・９ｆ・９ｇ・９ｈ上に底板部１４の前側底部を載置すると共に突出横杆９ｅ・９ｆ・９ｇ・９ｈと横杆１４ａ・１４ｂ・１４ｃ・１４ｄとを支点軸１８・１８・１８・１８により枢着連結し、支点軸１８・１８・１８・１８を中心として土運搬台１３を後方傾動自在に構成している。
【００１１】
１９は係止機構であって、この場合、上記移動枠９の上部の横杆９ｆに鉤状の係止アーム２０を軸２１により枢着し、土運搬台１３の上部に係止部２２を形成し、係止アーム２０と係止部２２とを係合し、バネ部材２３によって係合状態を保持すると共に係止アーム２０をレバー２０ａを持って人為的に上向きに揺動させて釈放することにより支点軸１８・１８を中心として土運搬台１３を後方傾動させるように構成している。
【００１２】
２４はすき体であって、この場合、上記移動枠９の四個の縦杆９ａ・９ｂ・９ｃ・９ｄのうちの、中央位置の縦杆９ｂ・９ｃ間或いは一方側方位置の縦杆９ａ・９ｂ間のいずれかにそれぞれ枢軸２４ａにより選択的に配置自在に枢着し、縦杆９ａ・９ｂ・９ｃの底部間にストッパー板９ｊを横設し、ストッパー板９ｊとストッパ片２４ｂとの当接によりすき体２４を前下がり状に保持すると共に図示省略の引上機構により引き上げ回動自在に設けて構成している。
【００１３】
この場合、土運搬台１３の側板部１５の中央位置の縦杆９ｂ・９ｃ間及び一方側方位置の縦杆９ａ・９ｂ間に対向して土導入口部１５ａ・１５ｂを形成し、この土導入口部１５ａ・１５ｂを閉塞可能な閉塞板部１５ｃ・１５ｄを着脱自在に取付けて構成している。しかして、中央位置の縦杆９ｂ・９ｃ間にすき体２４を配置するときは閉塞板部１５ｄを外して土導入口部１５ｂを開口すると共に閉塞板部１５ｃを土導入口部１５ａに取り付けて土導入口部１５ａを閉口し、又、一方側方位置の縦杆９ａ・９ｂ間にすき体２４を配置するときは閉塞板部１５ｃを外して土導入口部１５ａを開口すると共に閉塞板部１５ｄを土導入口部１５ｂに取り付けて土導入口部１５ｂを閉口するように構成している。
【００１４】
２５は土落下防止部材であって、この場合、三角板状に形成され、土運搬台１３の一方の側方位置の側板部１５に着脱自在に取り付けて構成している。
【００１５】
２６は抵抗部材であって、この場合、長尺板体からなり、上記移動枠９の他方側部に圃場内に穿入可能に配置されている。
【００１６】
この実施の形態例は上記構成であるから、図３、図４の想像線位置の如く、土導入口部１５ｂから閉塞板部１５ｄを取り外して中央位置の土導入口部１５ｂを開口すると共に土導入口部１５ａに閉塞板部１５ｃを取り付けて土導入口部１５ａを閉塞し、すき体２４を移動枠９の進行方向の中央位置に前下り状に配置保持すると共に移動機構１０により移動枠９を走行機体１の中央後方位置に位置調節し、この状態で、走行機体１を前進走行し、圃場面Ｗの高い所の土をすき体２４により削り取り、削り取られた土をすき体２４により土導入口部１５ａを介して土運搬台１３内に導入案内し、走行機体１を圃場の低い所に移動し、その位置で作業者が人為的に係止機構１９を釈放解除し、土運搬台１３を自重で後方傾動させ、土運搬台１３内の土を圃場面Ｗの低い所に排出し、これを繰り返すことにより圃場の整地作業を行うことになる。
【００１７】
そして、畦際等の削り取りに際しては、図３、４の実線位置の如く、土導入口部１５ａから閉塞板部１５ｃを取り外して土導入口部１５ａを開口すると共に土導入口部１５ｂに閉塞板部１５ｄを取り付け、すき体２４を移動枠９の進行方向の一方側方位置に前下り状に配置保持すると共に移動機構１０により移動枠９を進行方向に対して畦側の側方方向に移動位置調節し、これによりすき体２４を走行機体１の畦側の一方側方位置に突出配置することができ、この状態で走行機体１を前進走行することにより走行機体１の一方側方位置の畦際の土をすき体２４により削り取り、削り取られた土をすき体２４により土導入口部１５ａを介して土運搬台１３内に導入案内することができ、従って、走行機体の車輪や履帯の存在によって削取が困難であった畦際等の土を削取することができ、それだけ圃場の整地作業の融通性を高めることができる。
【００１８】
又、この場合、上記土運搬台１３の一方の側板部１５に土落下防止部材２５を着脱自在に設けてなるから、すき体２４を移動枠９の進行方向の一方側方位置に配置すると共に移動機構１０によりすき体２４を側方位置に突出配置し、土導入口部１５ａを介して土運搬台１３内に土を導入するとき、土落下防止部材２５を一方の側板部１５に取り付けて置くことにより土導入口部１５ａから導入される土の外への落下を防いで土運搬台１３内に確実に導入することができ、又、この場合、上記移動枠９の他方側部に圃場Ｍ内に穿入可能な抵抗部材２６を配置してなるから、すき体２４を移動枠９の進行方向の一方側方位置に配置すると共に移動機構１０によりすき体２４を側方位置に突出配置し、走行機体１を前進走行して畦際等の土を削取する際に抵抗部材２６により走行機体１の蛇行を防いで直進性を高めることができ、それだけ運転走行を円滑に行うことができる。
【００１９】
又、この場合、土運搬台１３の進行方向前側の前板部１５の中央位置或いは一方側方位置のいずれかに選択的に配置されるすき体２４に対向位置して土導入口部１５ａ・１５ｂを設け、各土導入口部１５ａ・１５ｂを開閉可能な閉塞板部１５ｃ・１５ｄを設けてなるから、すき体２４を移動枠９の中央位置に配置するときは閉塞板部１５ｄを外して土導入口部１５ｂを開口すると共に閉塞板部１５ｃを土導入口部１５ａに取り付けて土導入口部１５ａを閉口し、又、すき体２４を移動枠９の一方側方位置に配置するときは閉塞板部１５ｃを外して土導入口部１５ａを開口すると共に閉塞板部１５ｄを土導入口部１５ｂに取り付けて土導入口部１５ｂを閉口することができ、土運搬台１３内の土の落下を防ぐことができ、又、この場合、上記移動機構１０は移動案内機構１１及び螺子機構１２からなるので、構造を簡素化することができ、製作コストの低減を図ることができる。
【００２０】
尚、本発明は上記実施の形態例のものに限られるものではなく、例えば移動機構１０、土落下部材２５、抵抗部材２６の構造等は適宜変更して設計される。
【００２１】
【発明の効果】
本発明は上述の如く、請求項１記載の発明にあっては、すき体を移動枠の進行方向の中央位置に前下り状に配置保持すると共に移動機構により移動枠を走行機体の中央後方位置に位置調節することができ、又、すき体を移動枠の進行方向の一方側方位置に前下り状に配置保持すると共に移動機構により移動枠を進行方向に対して畦側の側方方向に移動位置調節することができ、しかして、すき体を走行機体の中央位置或いは一方側方位置のいずれかに選択的に配置することができると共に移動枠を側方方向に移動させることができ、走行機体の車輪や履帯の存在によって削取が困難であった畦際等の走行機体の側方位置の土を削取することができ、それだけ圃場の整地作業の融通性を高めることができ、かつ、上記土運搬台の一方の側板部に土落下防止部材を着脱自在に設けてなるから、すき体を移動枠の進行方向の一方側方位置に配置すると共に移動機構によりすき体を側方位置に突出配置し、一方側方位置の土導入口部を介して土運搬台内に土を導入するとき、土落下防止部材を一方の側板部に取り付けて置くことにより土導入口部から導入される土の外への落下を防いで土運搬台内に確実に導入することができ、さらに、上記移動枠の他方側部に圃場内に穿入可能な抵抗部材を配置してなるから、すき体を移動枠の進行方向の一方側方位置に配置すると共に移動機構によりすき体を側方位置に突出配置し、走行機体を前進走行して畦際等の土を削取する際に抵抗部材により走行機体の蛇行を防いで直進性を高めることができ、それだけ運転走行を円滑に行うことができる。
【００２２】
又、請求項２記載の発明にあっては、上記土運搬台の進行方向前側の前板部の中央位置或いは一方側方位置のいずれかに選択的に配置されるすき体に対向位置して土導入口部を設け、該各土導入口部を開閉可能な閉塞板部を設けてなるから、すき体を移動枠の中央位置に配置するときは中央位置の閉塞板部を外して中央位置の土導入口部を開口すると共に一方側方位置の閉塞板部を土一方側方の導入口部に取り付けて中央位置の土導入口部を閉口し、又、すき体を移動枠の一方側方位置に配置するときは一方側方位置の閉塞板部を外して一方側方位置の土導入口部を開口すると共に閉塞板部を中央位置の土導入口部に取り付けて一方側方位置の土導入口部を閉口することができ、土運搬台内の土の落下を防ぐことができ、又、請求項３記載の発明にあっては、上記移動機構は移動案内機構及び螺子機構からなるので、構造を簡素化することができ、製作コストの低減を図ることができる。
【００２３】
以上の如く、所期の目的を充分達成することができる。
【図面の簡単な説明】
【図１】  本発明の実施の形態例の全体側面図である。
【図２】  図１で示す本発明の実施の部分拡大側面図である。
【図３】  図１で示す本発明の実施の形態例の部分平面図である。
【図４】  図１で示す本発明の実施の形態例の部分断面図である。
【図５】  図１で示す本発明の実施の形態例の部分断面図である。
【図６】  図１で示す本発明の実施の形態例の部分拡大縦断面図である。
【符号の説明】
１  走行機体
３  取付枠
９  移動枠
１０  移動機構
１１  移動案内機構
１２  螺子機構
１３  土運搬台
１９  係止機構
２４  すき体
２５  土落下防止部材
２６  抵抗部材
【図１】
0004811754.tif 000002
【図２】
0004811754.tif 000003
【図３】
0004811754.tif 000004
【図４】
0004811754.tif 000005
【図５】
0004811754.tif 000006
【図６】
0004811754.tif 000007